(57)【要約】  移動端末は、第１の衛星周波数帯域上で第１の衛星からオーディオ、ビデオ、および／またはデータ・コンテンツを受信するように、また第１の衛星周波数帯域上での第１の衛星からのオーディオ、ビデオ、および／またはデータ・コンテンツの受信を制御するために第２の衛星周波数帯域上で第２の衛星および／または補助地上ネットワークと通信するように構成される。この移動端末はまた、セットトップボックスに近いときにそのセットトップボックスと通信することもできる。セットトップボックスとの通信は、直接または中継器を介して行われる。セットトップボックスはまた、中継器を使用して第１および／または第２の衛星と通信することもできる。関連する方法も開示される。
2007534273.tif 000002
【特許請求の範囲】
【請求項１】
第１の衛星周波数帯域上で第１の衛星からオーディオ、ビデオ、および／またはデータ・コンテンツを受信するように、また前記第１の衛星周波数帯域上で前記第１の衛星からオーディオ、ビデオ、および／またはデータ・コンテンツの受信を制御するために第２の衛星周波数帯域上で第２の衛星および／または補助地上ネットワークと通信するように構成される移動端末トランシーバシステムを備える、移動端末。
【請求項２】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の周波数帯域はＭＳＳ周波数帯域である請求項１に記載の移動端末。
【請求項３】
前記移動端末トランシーバシステムは、
前記第１の衛星周波数帯域上で前記第１の衛星からオーディオ、ビデオ、および／またはデータ・コンテンツを受信するように構成される移動端末受信器と、
前記第１の衛星周波数帯域上で前記第１の衛星からオーディオ、ビデオ、および／またはデータ・コンテンツの受信を制御するために前記第２の衛星周波数帯域上で前記第２の衛星および／または前記補助地上ネットワークと双方向通信するように構成される移動端末双方向トランシーバと
を備える請求項１に記載の移動端末。
【請求項４】
前記移動端末受信器と前記移動端末双方向トランシーバは少なくとも部分的に前記移動端末に一体化される請求項３に記載の移動端末。
【請求項５】
前記第２の衛星周波数帯域上で前記移動端末トランシーバシステムを介してコンテンツプロバイダーからオーディオ、ビデオ、および／またはデータ・コンテンツを要求するように、また前記第２の衛星周波数帯域上で前記移動端末トランシーバシステムを介してコンテンツプロバイダーからオーディオ、ビデオ、および／またはデータ・コンテンツに関する認可を取得するように、また認可を持たない移動端末でのオーディオ、ビデオ、および／またはデータ・コンテンツの受信および／または利用を限定するように構成される移動端末コントローラを更に備える請求項１に記載の移動端末。
【請求項６】
前記移動端末コントローラは更に、移動端末がセットトップボックスに近いときに前記セットトップボックスを介してコンテンツプロバイダーからオーディオ、ビデオ、および／またはデータ・コンテンツを選択的に要求するように、また前記移動端末がセットトップボックスに近いときに前記セットトップボックスを介して前記コンテンツプロバイダーからオーディオ、ビデオ、および／またはデータ・コンテンツに関する認可を選択的に取得するように構成される請求項５に記載の移動端末。
【請求項７】
前記移動端末コントローラは更に、移動端末がセットトップボックスに近いときに前記セットトップボックスを介してコンテンツプロバイダーからオーディオ、ビデオ、および／またはデータ・コンテンツを選択的に受信するように構成される請求項６に記載の移動端末。
【請求項８】
前記移動端末コントローラは更に、移動端末が中継装置に近いとき、セットトップボックスと通信する前記中継装置を介してコンテンツプロバイダーからオーディオ、ビデオ、および／またはデータ・コンテンツを選択的に要求するように、また前記移動端末が中継装置に近いときに前記中継装置を介してコンテンツプロバイダーからのオーディオ、ビデオ、および／またはデータ・コンテンツに関する認可を取得するように構成される請求項５に記載の移動端末。
【請求項９】
前記移動端末コントローラは更に、移動端末が中継装置に近いときに前記セットトップボックスと通信する前記中継装置を介してコンテンツプロバイダーからオーディオ、ビデオ、および／またはデータ・コンテンツを選択的に受信するように構成される請求項８に記載の移動端末。
【請求項１０】
前記移動端末コントローラは更に、移動端末がセットトップボックスに近いときに前記セットトップボックスに遠隔制御コマンドを送信するように構成される請求項６に記載の移動端末。
【請求項１１】
前記移動端末コントローラは更に、移動端末が中継装置に近いときに前記中継装置を介して前記セットトップボックスに遠隔制御コマンドを送信するように構成される請求項８に記載の移動端末。
【請求項１２】
第１の衛星周波数帯域上で第１の衛星と通信するように、また第２の衛星周波数帯域上で第２の衛星および補助地上ネットワークと通信するように構成される移動端末トランシーバシステムを備える移動端末。
【請求項１３】
前記第１の衛星は直接放送衛星（ＤＢＳ）および／または衛星無線衛星であって、前記第１の衛星周波数帯域はＤＢＳおよび／または衛星無線周波数帯域であり、また第２の衛星は移動体衛星システム（ＭＳＳ）衛星であって、前記第２の周波数帯域はＭＳＳ周波数帯域である請求項１２に記載の移動端末。
【請求項１４】
前記移動端末トランシーバシステムは更に、移動端末がセットトップボックスに近いときに前記セットトップボックスと通信するように構成される請求項１２に記載の移動端末。
【請求項１５】
前記移動端末トランシーバシステムは更に、移動端末が中継装置に近いときにセットトップボックスと通信する前記中継装置と通信するように構成される請求項１２に記載の移動端末。
【請求項１６】
地上および／または衛星周波数帯域を使用して無線通信するように、また移動端末がセットトップボックスに近いときに前記セットトップボックスと通信するように構成される移動端末トランシーバシステムを備える移動端末。
【請求項１７】
前記移動端末トランシーバシステムは更に、移動端末が中継装置に近いときにセットトップボックスと通信する前記中継装置と通信するように構成される請求項１６に記載の移動端末。
【請求項１８】
第１の衛星周波数帯域上でおよび／または有線接続を介して第１の衛星からオーディオ、ビデオ、および／またはデータ・コンテンツを受信するように、またオーディオ、ビデオ、および／またはデータ・コンテンツの受信を制御するために第２の衛星周波数帯域上で第２の衛星および／または補助地上ネットワークとそれ自身が通信するセットトップボックスの外部に在る中継装置と通信するように構成されるセットトップボックス・トランシーバシステムを備えるセットトップボックス。
【請求項１９】
前記第１の衛星は直接放送衛星（ＤＢＳ）および／または衛星無線衛星であって、前記第１の衛星周波数帯域はＤＢＳおよび／または衛星無線周波数帯域であり、また第２の衛星は移動体衛星システム（ＭＳＳ）衛星であって、前記第２の衛星周波数帯域はＭＳＳ周波数帯域である請求項１８に記載のセットトップボックス。
【請求項２０】
前記セットトップボックス・トランシーバシステムは、
前記第１の衛星周波数帯域上でおよび／または有線接続を介して前記第１の衛星からオーディオ、ビデオ、および／またはデータ・コンテンツを受信するように構成されるセットトップボックス受信器と、
前記第１の衛星周波数帯域上でのおよび／または有線接続を介しての前記第１の衛星からのオーディオ、ビデオ、および／またはデータ・コンテンツの受信を制御するために第２の衛星周波数帯域上で前記中継装置を介して第２の衛星および／または補助地上ネットワークと双方向通信するように構成されるセットトップボックス双方向トランシーバとを備える請求項１８に記載のセットトップボックス。
【請求項２１】
前記セットトップボックス受信器と前記セットトップボックス双方向トランシーバは少なくとも部分的に一体化される請求項２０に記載のセットトップボックス。
【請求項２２】
前記セットトップボックス・トランシーバシステムと前記中継装置とを介して第２の衛星周波数帯域上でコンテンツプロバイダーからオーディオ、ビデオ、および／またはデータ・コンテンツを要求するように、また第１および／または第２の衛星周波数帯域上で前記セットトップボックス・トランシーバシステムおよび前記中継装置を介してコンテンツプロバイダーからのオーディオ、ビデオ、および／またはデータ・コンテンツに関する認可を取得するように、また認可を持たないセットトップボックスでのオーディオ、ビデオ、および／またはデータ・コンテンツの受信および／または利用を限定するように構成されるセットトップボックス・コントローラを更に備える請求項１８に記載のセットトップボックス。
【請求項２３】
前記セットトップボックス・コントローラは更に、中継装置および／またはセットトップボックスに近い移動端末からの要求に応じてコンテンツプロバイダーからオーディオ、ビデオ、および／またはデータ・コンテンツを要求するように、また前記中継装置および／またはセットトップボックスを介して前記移動端末にオーディオ、ビデオ、および／またはデータ・コンテンツを提供するように構成される請求項２２に記載のセットトップボックス。
【請求項２４】
前記セットトップボックス・コントローラは更に、前記中継装置を介してセットトップボックスのための遠隔制御コマンドを受信するように構成される請求項２２に記載のセットトップボックス。
【請求項２５】
セットトップボックスの外部に在って無線および／または有線接続上で前記セットトップボックスと通信するように、また移動体衛星システム（ＭＳＳ）周波数帯域上で移動体衛星システム（ＭＳＳ）衛星および／または補助地上ネットワークと通信するように構成されるセットトップボックス中継装置トランシーバシステムを備えるセットトップボックス中継装置。
【請求項２６】
前記セットトップボックス中継装置トランシーバシステムは更に、自分に近い移動端末と無線通信するように構成される請求項２５に記載のセットトップボックス中継装置。
【請求項２７】
前記セットトップボックス中継装置トランシーバシステムは更に、自分に近い遠隔制御ユニットと無線通信するように構成される請求項２５に記載のセットトップボックス中継装置。
【請求項２８】
移動端末にオーディオ、ビデオ、および／またはデータ・コンテンツを提供するコンテンツ提供システムであって、
第１の衛星周波数帯域上で移動端末にオーディオ、ビデオ、および／またはデータ・コンテンツを送信するように構成される第１の衛星と、
前記第１の衛星周波数帯域上での第１の衛星からのオーディオ、ビデオ、および／またはデータ・コンテンツの受信を制御するために第２の衛星周波数帯域上で移動端末と通信するように構成される第２の衛星および／または補助地上ネットワークとを備える、コンテンツ提供システム。
【請求項２９】
前記第１の衛星は直接放送衛星（ＤＢＳ）および／または衛星無線衛星であって、前記第１の衛星周波数帯域はＤＢＳおよび／または衛星無線周波数帯域であり、前記第２の衛星は移動体衛星システム（ＭＳＳ）衛星であって、前記第２の周波数帯域はＭＳＳ周波数帯域である請求項２８に記載のコンテンツ提供システム。
【請求項３０】
前記第２の衛星周波数帯域上で前記第２の衛星および／または補助地上ネットワークを介して移動端末からオーディオ、ビデオ、および／またはデータ・コンテンツの要求を受信するように、また前記第２の衛星周波数帯域上で前記第２の衛星および／または補助地上ネットワークを介して移動端末にオーディオ、ビデオおよび／またはデータ・コンテンツに関する認可を与えるように構成されるコンテンツ提供システムコントローラを更に備える請求項２８に記載のコンテンツ提供システム。
【請求項３１】
前記第２の衛星周波数帯域上で前記第２の衛星および／または補助地上ネットワークを介して移動端末からオーディオ、ビデオ、および／またはデータ・コンテンツの要求を受信するように、またもし要求が認可されていなければ前記第１の衛星周波数帯域上で前記第１の衛星を介して移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３２】
移動端末に近いセットトップボックスと第２の衛星および／または補助地上ネットワークとを介して移動端末からオーディオ、ビデオ、および／またはデータ・コンテンツの要求を受信するように、また前記セットトップボックスと前記第２の衛星および／または補助地上ネットワークとを介して移動端末にオーディオ、ビデオ、および／またはデータ・コンテンツに関する認可を与えるように構成されるコンテンツ提供システムコントローラを更に備える請求項２８に記載のコンテンツ提供システム。
【請求項３３】
移動端末に近いセットトップボックスと第２の衛星および／または補助地上ネットワークとを介して移動端末からオーディオ、ビデオ、および／またはデータ・コンテンツの要求を受信するように、またもし要求が認可されていなければ前記セットトップボックスと前記第２の衛星および／または補助地上ネットワークとを介して移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３４】
移動端末に近いセットトップボックスおよび中継装置と第２の衛星および／または補助地上ネットワークとを介して移動端末からオーディオ、ビデオ、および／またはデータ・コンテンツの要求を受信するように、また前記セットトップボックスおよび前記中継装置と前記第２の衛星および／または補助地上ネットワークとを介して前記移動端末にオーディオ、ビデオ、および／またはデータ・コンテンツに関する認可を提供するように構成されるコンテンツ提供システムコントローラを更に備える請求項２８に記載のコンテンツ提供システム。
【請求項３５】
移動端末に近いセットトップボックスおよび中継装置と第２の衛星および／または補助地上ネットワークとを介して移動端末からオーディオ、ビデオ、および／またはデータ・コンテンツの要求を受信するように、またもし要求が認可されていなければ前記セットトップボックスおよび前記中継装置と前記第２の衛星および／または補助地上ネットワークとを介して前記移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３６】
第１の衛星周波数帯域上で移動端末と通信するように構成される第１の衛星と、
第２の衛星周波数帯域上で前記移動端末と通信するように構成される第２の衛星および補助地上ネットワークと
を備える移動端末通信システム。
【請求項３７】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項３６に記載の移動端末通信システム。
【請求項３８】
前記第２の衛星および／または補助地上ネットワークは、移動端末がセットトップボックスに近いときに前記セットトップボックスを介して前記移動端末と通信するように構成される請求項３６に記載の移動端末通信システム。
【請求項３９】
前記第２の衛星および／または補助地上ネットワークは、移動端末が中継装置に近いときに前記セットトップボックスと通信する前記中継装置を介して前記移動端末と通信するように構成される請求項３６に記載の移動端末通信システム。
【請求項４０】
セットトップボックスにオーディオ、ビデオ、および／またはデータ・コンテンツを提供するコンテンツ提供システムであって、
第１の衛星周波数帯域上でおよび／または有線接続を介して第１の衛星からセットトップボックスにオーディオ、ビデオ、および／またはデータ・コンテンツを送信するように構成されるコンテンツ送信システムと、
前記セットトップボックスにおいてオーディオ、ビデオ、および／またはデータ・コンテンツを制御するために第２の衛星周波数帯域上で第２の衛星および／または補助地上ネットワークを介して、前記セットトップボックスの外部にある中継装置と通信するように構成されるコンテンツ制御システムと
を備える、コンテンツ提供システム。
【請求項４１】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項４０に記載のコンテンツ提供システム。
【請求項４２】
前記コンテンツ制御システムは、前記中継装置を介して前記セットトップボックスからオーディオ、ビデオ、および／またはデータ・コンテンツの要求に応答し、また前記中継装置を介して前記セットトップボックスにオーディオ、ビデオ、および／またはデータ・コンテンツに関する認可を送信するように構成される請求項４０に記載のコンテンツ提供システム。
【請求項４３】
前記コンテンツ制御システムは、前記中継装置を介して前記セットトップボックスからオーディオ、ビデオ、および／またはデータ・コンテンツの要求に応答し、また認可を持たないセットトップボックスにおけるオーディオ、ビデオ、および／またはデータ・コンテンツの送信および／または使用を限定するように応答する請求項４０に記載のコンテンツ提供システム。
【請求項４４】
第１の衛星周波数帯域上で第１の衛星から移動端末においてオーディオ、ビデオ、およびデータ・コンテンツを受信するステップと、
前記第１の衛星周波数帯域上での前記第１の衛星からの前記移動端末におけるオーディオ、ビデオ、および／またはデータ・コンテンツの受信を制御するために第２の衛星周波数帯域上で前記移動端末と第２の衛星および／または補助地上ネットワークとの間で通信するステップと
を備える、移動端末通信方法。
【請求項４５】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項４４に記載の方法。
【請求項４６】
前記移動端末がセットトップボックスに近いときに前記セットトップボックスを介して前記移動端末において前記第１の衛星からオーディオ、ビデオ、および／またはデータ・コンテンツを選択的に受信するステップと、
前記移動端末がセットトップボックスに近いときに前記セットトップボックスを介して前記移動端末と前記第２の衛星および／または補助地上ネットワークとの間で選択的に通信するステップと
を更に備える請求項４４に記載の方法。
【請求項４７】
前記移動端末が中継装置に近いときに前記セットトップボックスと通信する前記中継装置を介して前記移動端末において前記第１の衛星からオーディオ、ビデオ、および／またはデータ・コンテンツを選択的に受信するステップと、
前記移動端末が中継装置に近いときに前記中継装置を介して前記移動端末と前記第２の衛星および／または補助地上ネットワークとの間で選択的に通信するステップと
を更に備える請求項４４に記載の方法。
【請求項４８】
前記移動端末がセットトップボックスに近いときに前記移動端末から前記セットトップボックスに遠隔制御コマンドを送信するステップを更に備える請求項４６に記載の方法。
【請求項４９】
前記移動端末が中継装置に近いときに前記中継装置を介して前記移動端末から前記セットトップボックスに遠隔制御コマンドを送信するステップを更に備える請求項４７に記載の方法。
【請求項５０】
第１の衛星周波数帯域上で移動端末と第１の衛星との間で通信するステップと、
第２の衛星周波数帯域上で前記移動端末と第２の衛星および／または補助地上ネットワークとの間で通信するステップと
を備える移動端末通信方法。
【請求項５１】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項５０に記載の方法。
【請求項５２】
前記移動端末がセットトップボックスに近いときに前記移動端末と前記セットトップボックスとの間で通信するステップを更に備える請求項５０に記載の方法。
【請求項５３】
前記移動端末が中継装置に近いときに、前記移動端末とセットトップボックスと通信する前記中継装置との間で通信するステップを更に備える請求項５０に記載の方法。
【請求項５４】
地上および／または衛星周波数帯域を使用して移動端末によって無線通信するステップと、
前記移動端末がセットトップボックスに近いときに前記移動端末と前記セットトップボックスとの間で通信するステップと
を備える移動端末通信方法。
【請求項５５】
前記移動端末が中継装置に近いときに、前記移動端末とセットトップボックスと通信する前記中継装置との間で通信するステップを更に備える請求項５４に記載の方法。
【請求項５６】
第１の衛星周波数帯域上でおよび／または有線接続を介して第１の衛星からセットトップボックスにおいてオーディオ、ビデオ、および／またはデータ・コンテンツを受信するステップと、
オーディオ、ビデオ、および／またはデータ・コンテンツの受信を制御するために前記セットトップボックスと、第２の衛星周波数帯域上で第２の衛星および／または補助地上ネットワークとそれ自身が通信するセットトップボックスの外部にある中継装置との間で通信するステップと
を備えるセットトップボックス通信方法。
【請求項５７】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項５６に記載の方法。
【請求項５８】
前記中継装置を介して前記セットトップボックスにおいて遠隔制御コマンドを受信するステップを更に備える請求項５６に記載の方法。
【請求項５９】
無線および／または有線接続上で前記中継装置とセットトップボックスとの間で通信するステップと、
移動体衛星システム（ＭＳＳ）周波数帯域上で中継装置と移動体衛星システム（ＭＳＳ）衛星および／または補助地上ネットワークとの間で通信するステップと
を備えるセットトップボックス中継装置通信方法。
【請求項６０】
前記中継装置と前記中継装置に近い移動端末との間で無線通信するステップを更に備える請求項５９に記載の方法。
【請求項６１】
前記中継装置と前記中継装置に近い遠隔制御ユニットとの間で無線通信するステップを更に備える請求項５９に記載の方法。
【発明の詳細な説明】
【技術分野】
【０００１】
［関連出願の相互参照］
本出願は、「Ｍｏｂｉｌｅ  Ｔｅｒｍｉｎａｌｓ  Ｉｎｃｌｕｄｉｎｇ  Ｍｕｌｔｉｐｌｅ  Ｓａｔｅｌｌｉｔｅ  Ｂａｎｄ  Ｓｅｒｖｉｃｅ  Ｌｉｎｋｓ，ａｎｄ  Ｒｅｌａｔｅｄ  Ｓｙｓｔｅｍｓ  ａｎｄ  Ｍｅｔｈｏｄｓ」と題する、２００４年４月２１日に出願された仮出願第６０／５６４，１７７号の利点を請求しており、この仮出願の開示内容はここに十分に述べられているようにその全体において参照によって本明細書に組み入れられている。
【０００２】
本発明は、無線通信システム、方法、および端末に関し、またより特定的には固定および移動無線通信システム、方法、および端末に関する。
【背景技術】
【０００３】
移動端末は、通信、エンターテインメント、および／またはデータ処理活動のために広く使用されている。本明細書で使用されるように移動端末は、マルチライン表示装置を持つあるいは持たないセルラーおよび／または衛星無線端末と、無線端末をデータ処理、ファクシミリ、および／またはデータ通信能力と組み合わせることのできるパーソナル通信システム（ＰＣＳ）端末と、無線周波数トランシーバおよび／またはページャ、インターネット／イントラネット・アクセス、ウェブブラウザ、オーガナイザ、カレンダーおよび／または全地球測位システム（ＧＰＳ）受信器を含むパーソナルディジタルアシスタント（ＰＤＡ）、および／または従来のラップトップおよび／またはパームトップコンピュータまたは無線周波トランシーバを含む他の移動機器を備える。本明細書で使用されるように移動端末はまた、広く使用されているＸＭ（商標）および／またはＳｉｒｉｕｓ（商標）衛星無線受信器といった衛星無線受信器も含みえる。移動端末は、ハンドヘルド、携帯型および／または乗物搭載型（航空宇宙用、海運用および／または陸上用）でありえる。通常、移動端末は比較的高いビット速度またはデータ速度でサービスリンク上で衛星から大きなオーディオ、ビデオ、および／またはデータ・ファイルを受信するように構成される。
【発明の開示】
【０００４】
本発明の幾つかの実施形態による移動端末は、第１の衛星周波数帯域上で第１の衛星からオーディオ、ビデオ、および／またはデータ・コンテンツを受信するように、また前記第１の衛星周波数帯域上での前記第１の衛星からのオーディオ、ビデオ、および／またはデータ・コンテンツの受信を制御するために第２の衛星周波数帯域上で、および／または衛星通信に関して認可されていない周波数帯域上で第２の衛星、地上ネットワークおよび／または補助地上ネットワークと通信するように構成される移動端末トランシーバシステムを含む。幾つかの実施形態では、第１の衛星は直接放送衛星（ＤＢＳ）および／または衛星無線衛星であって、第１の衛星周波数帯域はＤＢＳおよび／または衛星無線周波数帯域である。第２の衛星は移動体衛星システム（ＭＳＳ）であって、第２の周波数帯域はＭＳＳ周波数帯域および／または衛星通信に関して認可されていない周波数帯域である。
【０００５】
幾つかの実施形態では、移動端末トランシーバシステムは、第１の衛星周波数帯域上で第１の衛星からオーディオ、ビデオ、および／またはデータ・コンテンツを受信するように構成される移動端末受信器と、第１の衛星周波数帯域上での第１の衛星からのオーディオ、ビデオ、および／またはデータ・コンテンツの受信を制御するために第２の衛星周波数帯域上で、および／または衛星通信に関して認可されていない周波数帯域上で第２の衛星、地上ネットワーク、および／または補助地上ネットワークと双方向通信するように構成される移動端末双方向トランシーバとを含む。移動端末受信器と移動端末双方向トランシーバは、少なくとも部分的に移動端末に一体化される。更に他の実施形態では、移動端末はまた、移動体トランシーバシステムを介して第２の衛星周波数帯域上で、および／または衛星通信に関して認可されていない周波数帯域上でコンテンツプロバイダーからオーディオ、ビデオ、および／またはデータ・コンテンツを要求するように、また移動体トランシーバシステムを介して第１および／または第２の衛星周波数帯域上および／または衛星通信に関して認可されていない周波数帯域上でコンテンツプロバイダーからのオーディオ、ビデオ、および／またはデータ・コンテンツに関する認可を取得するように、また認可を持たない移動端末におけるオーディオ、ビデオ、および／またはデータ・コンテンツの受信および／または利用を限定するように構成される移動端末コントローラを含む。
【０００６】
更に他の実施形態では移動端末コントローラは更に、移動端末がセットトップボックスに近いときにセットトップボックスを介してコンテンツプロバイダーからオーディオ、ビデオ、および／またはデータ・コンテンツを選択的に要求するように、また移動端末がセットトップボックスに近いときにセットトップボックスを介してコンテンツプロバイダーからのオーディオ、ビデオ、および／またはデータ・コンテンツに関する認可を選択的に取得するように構成される。なお更に他の実施形態では、移動端末はまた、移動端末がセットトップボックスに近いときにセットトップボックスを介してコンテンツプロバイダーからオーディオ、ビデオ、および／またはデータ・コンテンツを選択的に受信するように構成される。これらの実施形態のいずれにおいても移動端末は、移動端末がセットトップボックスに近いときにセットトップボックスと直接対話でき、あるいは移動端末が中継装置および／またはセットトップボックスに近いときにセットトップボックスとそれ自身が通信する中継装置と通信できる。なお更なる実施形態では移動端末は、この移動端末がセットトップボックスおよび／または中継装置に近いときに直接および／または中継装置を介してセットトップボックスに遠隔制御コマンドを送信するように構成される。
【０００７】
本発明の更に他の実施形態による移動端末は、第１の衛星周波数帯域上で第１の衛星と通信するように、また第２の衛星周波数帯域上で、および／または衛星通信に関して認可されていない周波数帯域上で第２の衛星、地上ネットワークおよび／または補助地上ネットワークと通信するように構成される移動端末トランシーバシステムを含む。幾つかの実施形態では、第１の衛星はＤＢＳ衛星および／または衛星無線衛星であり、第２の衛星はＭＳＳ衛星である。他の実施形態では、移動端末トランシーバシステムはまた、移動端末がセットトップボックスおよび／またはセットトップボックス中継装置に近いときにセットトップボックスおよび／またはセットトップボックス中継装置と通信するように構成できる。
【０００８】
本発明の更に他の実施形態による移動端末は、地上および／または衛星周波数帯域を使用して無線で通信するように、また移動端末がセットトップボックスに近いときにセットトップボックスと通信するように構成される移動端末トランシーバシステムを含む。他の実施形態では、移動端末トランシーバシステムは更に、移動端末が中継装置に近いときにセットトップボックスと通信する中継装置と通信するように構成される。
【０００９】
本発明の種々の実施形態によるセットトップボックスは、第１の衛星周波数帯域上で、および／または有線接続を介して第１の衛星からオーディオ、ビデオ、および／またはデータ・コンテンツを受信するように、またオーディオ、ビデオおよび／またはデータ・コンテンツの受信を制御するために第２の衛星周波数帯域上で、および／または衛星通信に関して認可されていない周波数帯域上で第２の衛星、地上ネットワークおよび／または補助地上ネットワークとそれ自身が通信するセットトップボックスの外部にある中継装置と通信するように構成されるセットトップボックス・トランシーバシステムを含む。このセットトップボックスは、第１の衛星周波数帯域上で、および／または有線接続を介して第１の衛星からオーディオ、ビデオ、および／またはデータ・コンテンツを受信するように構成されるセットトップボックス受信器と、第１の衛星周波数帯域上で、および／または有線接続を介しての第１の衛星からのオーディオ、ビデオ、および／またはデータ・コンテンツの受信を制御するために中継装置を介して第２の衛星周波数帯域上で、および／または衛星通信に関して認可されていない周波数帯域上で第２の衛星、地上ネットワーク、および／または補助地上ネットワークと双方向通信するように構成されるセットトップボックス双方向トランシーバとを含むことができる。セットトップボックス・コントローラは、セットトップボックス・トランシーバシステムと中継装置とを介して第２の衛星周波数帯域上でコンテンツプロバイダーからオーディオ、ビデオ、および／またはデータ・コンテンツを要求するように、またセットトップボックス・トランシーバおよび／または中継装置を介して第１および／または第２の衛星周波数帯域上で、および／または衛星通信に関して認可されていない周波数帯域上でコンテンツプロバイダーからのオーディオ、ビデオ、および／またはデータ・コンテンツに関する認可を取得するように、また認可を持たないセットトップボックスにおけるオーディオ、ビデオおよび／またはデータ・コンテンツの受信および／または利用を限定するように構成される。幾つかの実施形態ではセットトップボックス・コントローラは更に、中継装置および／またはセットトップボックスに近い移動端末からの要求に応じてコンテンツプロバイダーからオーディオ、ビデオ、および／またはデータ・コンテンツを要求するように、また中継装置および／またはセットトップボックスを介して移動端末にオーディオ、ビデオ、および／またはデータ・コンテンツを提供するように構成される。更に他の実施形態ではセットトップボックス・コントローラは更に、中継装置を介してセットトップボックスのための遠隔制御コマンドを受信するように構成される。幾つかの実施形態では、この中継装置は少なくとも部分的にセットトップボックスに一体化される。
【００１０】
本発明の実施形態によるセットトップボックス中継装置は、少なくとも部分的にセットトップボックスの外部にあって、無線および／または有線接続上でセットトップボックスと通信するように、またＭＳＳ周波数帯域上および／または衛星通信に関して認可されていない周波数帯域上でＭＳＳ衛星、地上ネットワーク、および／または補助地上ネットワークと通信するように構成されるセットトップボックス中継装置トランシーバシステムを含む。セットトップボックスおよび／またはセットトップボックス中継装置トランシーバシステムはまた、自分に近い移動端末と、および／または自分に近い遠隔制御ユニットと無線通信するように構成できる。
【００１１】
本発明の種々の実施形態によるコンテンツ提供システムは、移動端末にオーディオ、ビデオおよび／またはデータ・コンテンツを提供できる。幾つかの実施形態ではこれらのコンテンツ提供システムは、第１の衛星周波数帯域上で移動端末にオーディオ、ビデオおよび／またはデータ・コンテンツを送信するように構成される第１の衛星と、第１の衛星周波数帯域上での第１の衛星からのオーディオ、ビデオ、および／またはデータ・コンテンツの受信を制御するために第２の衛星周波数帯域上で、および／または衛星通信に関して認可されていない周波数帯域上で移動端末と通信するように構成される第２の衛星、地上ネットワークおよび／または補助地上ネットワークとを含む。第１の衛星は、ＤＢＳ衛星であり、第２の衛星はＭＳＳ衛星である。コンテンツ提供システムは、第２の衛星周波数帯域上で、および／または第２の衛星、地上ネットワークおよび／または補助地上ネットワークを介して衛星通信に関して認可されていない周波数帯域上で移動端末からオーディオ、ビデオおよび／またはデータ・コンテンツの要求を受信するように、また第１および／または第２の衛星周波数帯域上で、および／または第２の衛星、地上ネットワークおよび／または補助地上ネットワークを介して衛星通信に関して認可されていない周波数帯域上で移動端末にオーディオ、ビデオ、および／またはデータ・コンテンツに関する認可を与えるように構成されるコンテンツ提供システムコントローラを含む。他の実施形態ではコンテンツ提供システムコントローラは、もし要求が認可されていなければ第１の衛星を介して第１の衛星周波数帯域上で移動端末にオーディオ、ビデオおよび／またはデータ・コンテンツを提供することを差し控え得る。他の実施形態では、コンテンツ提供システムコントローラはセットトップボックスおよび／またはセットトップボックス中継装置を介して移動端末からオーディオ、ビデオおよび／またはデータ・コンテンツの要求を受信でき、またセットトップボックスおよび／またはセットトップボックス中継装置を介して移動端末に認可を与えることができる。
【００１２】
本発明の他の実施形態による移動端末通信システムは、第１の衛星周波数帯域上で移動端末と通信するように構成される第１の衛星と、第２の衛星周波数帯域上および／または衛星通信に関して認可されていない周波数帯域上で移動端末と通信するように構成される第２の衛星、地上ネットワークおよび／または補助地上ネットワークとを含む。第１の衛星周波数帯域はＤＢＳおよび／または衛星無線周波数帯域であり、また第２の衛星周波数帯域はＭＳＳ周波数帯域である。第２の衛星、地上ネットワークおよび／または補助地上ネットワークは、セットトップボックスおよび／またはセットトップボックス中継装置を介して移動端末と通信するように構成できる。
【００１３】
本発明の実施形態が主として、移動端末、セットトップボックス、セットトップボックス中継装置、コンテンツ提供システム、および／または移動端末通信システムといった装置に関して上記に説明されてきたことは理解されるであろう。しかしながら本発明の他の実施形態は、類似の方法を提供できる。
【発明を実施するための最良の形態】
【００１４】
さて本発明の特定の例示的実施形態は、添付図面を参照しながら説明されるであろう。しかしながら本発明は、多くの異なる形態に具体化可能であり、本明細書に述べられる実施形態に限定されると解釈されるべきではない。むしろこれらの実施形態は、この開示が詳細で完全であるように、また本発明の範囲を当業者に十分に伝えるように提供されるものである。これらの図面において同様の符号は、同様の要素を指している。ある要素がもう一つの要素に「接続されて」、「連結されて」または「応答して」いると言及されるとき、その要素は他の要素に直接接続され得るか、連結され得るか、または応答し得る、あるいは介在要素が存在する可能性もある。更に本明細書で使用されるような「接続される」、「連結される」または「応答する」は、無線的に接続される、連結される、または応答することを含む。
【００１５】
本明細書で使用される用語法は、特定の実施形態を単に説明する目的のためであって、本発明の限定を意図していない。本明細書で使用されるように単数形「ａ」、「ａｎ」、および「ｔｈｅ」は、他に明確に説明されていなければ、同様に複数形も含むことが意図されている。更に用語「含む（ｉｎｃｌｕｄｅｓ）」、「備える（ｃｏｍｐｒｉｓｅｓ）」、「含んでいる（ｉｎｃｌｕｄｉｎｇ）」および／または「備えている（ｃｏｍｐｒｉｓｉｎｇ）」が本明細書で使用されるとき、述べられている特徴、完全体、ステップ、動作、要素、および／またはコンポーネントの存在を指定しているが、一つ以上の他の特徴、完全体、ステップ、動作、要素、コンポーネント、および／またはそれらのグループの存在または追加を除外するものではない。
【００１６】
他に定義されなければ、本明細書で使用される全ての用語（技術的および科学的用語を含む）は、本発明が属する当業者によって一般的に理解されるものと同じ意味を有する。更に一般に使用される辞書に定義されるような用語が関連分野および本開示の関連においてこれらの意味と一致する意味を有すると理解されるべきであり、本明細書でそう明確に定義されなければ理想化された、あるいは過度に形式的な意味に解釈されないであろうことは理解されるであろう。
【００１７】
用語第１、第２は種々の要素を説明するために本明細書で使用され得るが、これらの要素はこれらの用語によって限定されるべきではないことは理解されるであろう。これらの用語は単に、一つの要素をもう一つの要素から区別するために使用される。したがって以下では本発明の教示から逸脱することなく、第１の衛星は第２の衛星と呼ぶこともでき、同様に第２の衛星は第１の衛星と呼ぶこともできる。本明細書で使用されるように、用語「および／または」は、関連する列挙された項目のうちの一つ以上の項目の任意の、および全ての組合せを含む。記号「／」もまた、「および／または」の速記的表記法として使用される。
【００１８】
更に本明細書で使用されるように「実質的に同じ」帯域（単数または複数）は、比較される二つ以上の帯域が周波数的に実質的にオーバーラップすることを意味するが、非オーバーラップの幾つかの領域が例えば帯域端部（単数または複数）に存在することを意味する。「実質的に同じ」空気インタフェースは（単数または複数）は、比較される二つ以上の空気インタフェースが類似しているが同じである必要はないことを意味する。例えば地上と衛星の通信環境間に存在し得る異なる特性を説明するおよび／または調整するために一つの空気インタフェース（すなわち地上空気インタフェース）に関してもう一つの空気インタフェース（すなわち地上空気インタフェース）には、幾つかの差異が存在する。例えば、地上通信のために使用できるボコーダ速度と比較し、衛星通信のためには異なるボコーダ速度が使用できる（すなわち地上通信のために音声は約９〜１３ｋｂｐｓに圧縮され（「ボコードされ」（音声符号化され））えるが、これに対して衛星通信では例えば２〜４ｋｂｐｓのボコーダ速度が使用され得る）；地上通信で使用できる符号化、交錯深さ、および／または拡散スペクトル符号（すなわちＷａｌｓｈ符号、長符号、および／または周波数ホッピング符号）と比較し、例えば、衛星通信では異なる順方向誤り訂正符号化、異なる交錯深さ、および／または異なる拡散スペクトル符号も使用できる。
【００１９】
本発明の幾つかの実施形態は、多数衛星帯域サービスリンクをサポートする移動端末を提供する。第１のサービスリンク帯域を使用して第１の衛星からオーディオ、ビデオおよび／またはデータ・コンテンツを受信するように構成される第１のサービスリンクが、提供され得る。幾つかの実施形態ではこの第１のサービスリンクは、比較的高いビット速度で動作する１方向サービスリンクであり得る。本発明の実施形態による移動端末はまた、第２の衛星周波数帯域および／または地上周波数帯域を使用して第２のサービスリンク上で双方向に通信するようにも構成される。これらの双方向通信は、第２の衛星周波数帯域上で第２の衛星によって、地上周波数帯域上で地上ネットワークによって、および／または少なくとも幾つかの衛星帯域周波数および／または衛星通信に関して認可されていない他の周波数を使用する補助地上ネットワークによって行われ得る。双方向サービスリンクは、認証信号、ペイパービュー要求、購入要求および／または他の認証信号といった認証信号を移動端末からシステムに送信するために、またアクセスコード、暗号キーおよび／または他の肯定応答信号といった肯定応答信号をシステムから受信するために使用され得る。したがって、本発明の幾つかの実施形態では、移動端末が大きなファイルとしてオーディオ、ビデオ、および／またはデータ・コンテンツをダウンロードするために高い帯域幅の１方向サービスリンクが提供されるが、認可および／または肯定応答信号のためには比較的低いビット速度のリンクが使用される。
【００２０】
図１は、本発明の例示的実施形態のブロック図である。図１に示すように移動端末１１０は、第１の衛星（衛星１）１２０および第２の衛星（衛星２）１３０と通信するように構成される。第１の衛星１２０との通信は、図１に示すように１方向サービスリンクであり、また比較的高いビット速度で移動端末１１０と通信するように構成され得る第１のサービスリンク（サービスリンク１）１２４上で行われる。オーディオ、ビデオ、および／またはデータ・コンテンツは、直接放送衛星（ＤＢＳ）、衛星無線帯域および／またはオーディオ、ビデオおよび／またはデータ・ファイルの高ビット速度ダウンロードのために構成される他の衛星帯域である第１の衛星周波数帯域Ｆ１を使用して第１のサービスリンク１２４上で第１の衛星１２０から移動端末１１０にダウンロードされる。これらのオーディオ、ビデオおよび／またはデータ・ファイルは、衛星ゲートウェイ１２８、地上局１２６および第１のフィーダーリンク（フィーダーリンク１）１２２を介して第１の衛星１２０にアップリンクされる。第１のサービスリンク１２４は、第１の衛星周波数帯域Ｆ１を受信するように構成されるアンテナ１１６と受信器１１２とを介して移動端末１１０で受信される。他の実施形態では、サービスリンク１および／またはフィーダーリンク１は双方向性である。
【００２１】
なお図１を参照すると移動端末１１０はまた、Ｆ２によって示される、衛星Ｌ帯域、Ｓ帯域または移動体衛星システム（ＭＳＳ）通信用および／または非ＭＳＳ通信用に使用される他の帯域（単数または複数）といった第２の衛星周波数帯域を使用して第２の双方向サービスリンク（サービスリンク２）１３４上で第２の衛星１３０と双方向通信するように構成される。第２のサービスリンク１３４上での通信を双方向に与えるために移動端末１１０には、トランシーバ（送信器／受信器）１１４と送受信アンテナ１１８とが設けられる。通信は、第２のフィーダーリンク（フィーダーリンク２）１３２と地上局１３６とゲートウェイ１３８とを介して第２の衛星１３０と地上との間で行われる。ゲートウェイ１２８および／またはゲートウェイ１３８からの通信は、他の有線および／または無線ネットワーク１４２および／または１４４を介してシステム運用者に中継される。
【００２２】
図１の移動端末１１０には別々の受信器１１２とトランシーバ１１４が示されているが受信器１１２とトランシーバ１１４との一部または全部の要素が周知の手法を使用して一体化または組み合わせできることは、当業者によって理解されるであろう。したがって受信器１１２とトランシーバ１１４は、第１の衛星周波数帯域Ｆ１上で第１の衛星１２０からオーディオ、ビデオおよび／またはデータ・コンテンツを受信するように、また第２の衛星周波数帯域Ｆ２上で第２の衛星１３０および／または補助地上ネットワーク（図２に示す）と通信するように、および／または第１の衛星周波数帯域上での第１の衛星からのオーディオ、ビデオおよび／またはデータ・コンテンツの受信を制御するために、地上周波数帯域上で、例えば地上セルラーおよび／またはＰＣＳ周波数帯域および／または無認可周波数帯域（図示せず）上で地上ネットワークと通信するように構成される移動端末トランシーバシステム１１３をまとめて形成する。同様に、第１、第２のサービスリンク１２４、１３４のための別々のアンテナ１１６、１１８がそれぞれ示されているが、これらのアンテナは、少なくとも部分的に広帯域および／または多帯域アンテナに合併できる。更に移動端末１１０は、当業者に周知であるように、データプロセッサおよび／またはディジタル信号プロセッサ（ＤＳＰ）、人間機械インタフェースおよび他の無線周波コンポーネントといった他のプロセッサを含むこともあり得る。したがって例えば移動端末１１０はまた、移動端末トランシーバシステム１１４を介して第２の衛星周波数帯域Ｆ２上でコンテンツプロバイダーシステム・コントローラ１４６からオーディオ、ビデオおよび／またはデータ・コンテンツを要求するように、また移動端末受信器／トランシーバシステム１１２／１１４を介して第１および／または第２の衛星周波数帯域Ｆ１／Ｆ２上でコンテンツプロバイダーシステム・コントローラ１４６からオーディオ、ビデオおよび／またはデータ・コンテンツに関する認可を取得するように、また認可を持たない移動端末１１０における／によるオーディオ、ビデオおよび／またはデータ・コンテンツの受信および／または利用を限定するように構成される移動端末コントローラ１１５を含むこともできる。本明細書で使用されるように「限定する」は、認可なしでは利用が何らかの仕方で制約されることを意味する。例えば、全ての利用が妨げられるか、あるいはサンプリングといった限定利用だけが許される。
【００２３】
図２は、本発明の他の実施形態による移動端末、方法、およびシステムのブロック図である。図２において第２のサービスリンク２３４は、Ｌ帯域、Ｓ帯域、他の任意の移動体および／または非移動体衛星システム帯域および／または他の周波数帯域であり得る衛星周波数帯域Ｆ２を使用して補助地上コンポーネント２３０との双方向通信を提供する。補助地上コンポーネント２３０は、地上の有線および／または無線リンク２３２を介して他のネットワーク１４４と通信し得る。補助地上コンポーネント２３０は、衛星周波数帯域の少なくとも一部を地上で再使用することによって移動端末と通信するように構成される補助地上ネットワークの一部である。
【００２４】
衛星周波数の地上再利用を使用できる衛星無線端末通信システムおよび方法は、「Ｓｙｓｔｅｍｓ  ａｎｄ  Ｍｅｔｈｏｄｓ  ｆｏｒ  Ｔｅｒｒｅｓｔｒｉａｌ  Ｒｅｕｓｅ  ｏｆ  Ｃｅｌｌｕｌａｒ  Ｓａｔｅｌｌｉｔｅ  Ｆｒｅｑｕｅｎｃｙ  Ｓｐｅｃｔｒｕｍ」と題する、Ｋａｒａｂｉｎｉｓへの米国特許第６，６８４，０５７号と、「Ｗｉｒｅｌｅｓｓ  Ｃｏｍｍｕｎｉｃａｔｉｏｎｓ  Ｓｙｓｔｅｍｓ  ａｎｄ  Ｍｅｔｈｏｄｓ  Ｕｓｉｎｇ  Ｓａｔｅｌｌｉｔｅ−Ｌｉｎｋｅｄ  Ｒｅｍｏｔｅ  Ｔｅｒｍｉｎａｌ  Ｉｎｔｅｒｆａｃｅ  Ｓｕｂｓｙｓｔｅｍｓ」と題する、Ｋａｒａｂｉｎｉｓへの米国特許第６，８５６，７８７号と、「Ｉｎｔｅｇｒａｔｅｄ  ｏｒ  Ａｕｔｏｎｏｍｏｕｓ  Ｓｙｓｔｅｍ  ａｎｄ  Ｍｅｔｈｏｄ  ｏｆ  Ｓａｔｅｌｌｉｔｅ−Ｔｅｒｒｅｓｔｒｉａｌ  Ｆｒｅｑｕｅｎｃｙ  Ｒｅｕｓｅ  Ｕｓｉｎｇ  Ｓｉｇｎａｌ  Ａｔｔｅｎｕａｔｉｏｎ  ａｎｄ／ｏｒ  Ｂｌｏｃｋａｇｅ，Ｄｙｎａｍｉｃ  Ａｓｓｉｇｎｍｅｎｔ  ｏｆ  Ｆｅｑｕｅｎｃｉｅｓ  ａｎｄ／ｏｒ  Ｈｙｓｔｅｒｅｓｉｓ」と題する、Ｋａｒａｂｉｎｉｓ  ｅｔ  ａｌへの米国特許第６，８５９，６５２号と、「Ｆｉｌｔｅｒｓ  ｆｏｒ  Ｃｏｍｂｉｎｅｄ  Ｒａｄｉｏｔｅｌｅｐｈｏｎｅ／ＧＰＳ  Ｔｅｒｍｉｎａｌｓ」と題する、Ｋａｒａｂｉｎｉｓへの米国特許第６，７８５，５４３号と、「Ｓｐａｔｉａｌ  Ｇｕａｒｄｂａｎｄｓ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」と題するＫａｒａｂｉｎｉｓの公開米国特許出願第ＵＳ２００３／００５４７６１号と、「Ｓｙｓｔｅｍｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」と題するＫａｒａｂｉｎｉｓ  ｅｔ  ａｌのＵＳ２００３／００５４８１４号と、「Ａｄｄｉｔｉｏｎａｌ  Ｓｙｓｔｅｍｎｓ  ａｎｄ  Ｍｅｔｈｏｄｓ  ｆｏｒ  Ｍｏｎｉｔｏｒｉｎｇ  Ｔｅｒｒｅｓｔｒｉａｌｌｙ  Ｒｅｕｓｅｄ  Ｓａｔｅｌｌｉｔｅ  Ｆｒｅｑｕｅｎｃｉｅｓ  ｔｏ  Ｒｅｄｕｃｅ  Ｐｏｔｅｎｔｉａｌ  Ｉｎｔｅｒｆｅｒｅｎｃｅ」と題するＫａｒａｂｉｎｉｓ  ｅｔ  ａｌのＵＳ２００３／００７３４３６号と、「Ｍｕｌｔｉ−Ｂａｎｄ／Ｍｕｌｔｉ−Ｍｏｄｅ  Ｓａｔｅｌｌｉｔｅ  Ｒａｄｉｏｔｅｌｅｐｈｏｎｅ  Ｃｏｍｍｕｎｉｃａｔｉｏｎｓ  Ｓｙｓｔｅｍｓ  ａｎｄ  Ｍｅｔｈｏｄｓ」と題するＫａｒａｂｉｎｉｓのＵＳ２００３／００５４７６２号と、「Ｓｙｓｔｅｍｓ  ａｎｄ  Ｍｅｔｈｏｄｓ  ｆｏｒ  Ｒｅｄｕｃｉｎｇ  Ｓａｔｅｌｌｉｔｅ  Ｆｅｅｄｅｒ  Ｌｉｎｋ  Ｂａｎｄｗｉｄｔｈ／Ｃａｒｒｉｅｒｓ  Ｉｎ  Ｃｅｌｌｕｌａｒ  Ｓａｔｅｌｌｉｔｅ  Ｓｙｓｔｅｍｓ」と題するＫａｒａｂｉｎｉｓのＵＳ２００３／０２２４７８５号と、「Ｃｏｏｒｄｉｎａｔｅｄ  Ｓａｔｅｌｌｉｔｅ−Ｔｅｒｒｅｓｔｒｉａｌ  Ｆｒｅｑｕｅｎｃｙ  Ｒｅｕｓｅ」と題するＫａｒａｂｉｎｉｓ  ｅｔ  ａｌのＵＳ２００２／００４１５７５号と、「Ｓｐａｃｅ−Ｂａｓｅｄ  Ｎｅｔｗｏｒｋ  Ａｒｃｈｉｔｅｃｔｕｒｅｓ  ｆｏｒ  Ｓａｔｅｌｌｉｔｅ  Ｒａｄｉｏｔ���ｌｅｐｈｏｎｅ  Ｓｙｓｔｅｍｓ」と題するＫａｒａｂｉｎｉｓ  ｅｔ  ａｌのＵＳ２００３／００６８９７８号と、「Ｓｔａｇｇｅｒｅｄ  Ｓｅｃｔｏｒｉｚａｔｉｏｎ  ｆｏｒ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」と題するＫａｒａｂｉｎｉｓのＵＳ２００３／０１５３３０８号と、「Ｍｅｔｈｏｄｓ  ａｎｄ  Ｓｙｓｔｅｍｓ  ｆｏｒ  Ｍｏｄｉｆｙｉｎｇ  Ｓａｔｅｌｌｉｔｅ  Ａｎｔｅｎｎａ  Ｃｅｌｌ  Ｐａｔｔｅｒｎｓ  Ｉｎ  Ｒｅｓｐｏｎｓｅ  ｔｏ  Ｔｅｒｒｅｓｔｒｉａｌ  Ｒｅｕｓｅ  ｏｆ  Ｓａｔｅｌｌｉｔｅ  Ｆｒｅｑｕｅｎｃｉｅｓ」と題するＫａｒａｂｉｎｉｓのＵＳ２００３／００５４８１５号とに開示されており、これらの全ては本発明の譲受人に譲渡され、それら全て開示内容はここに十分に述べられているように全体的に参照によって本明細書に組み込まれている。
【００２５】
図３は、本発明の種々の実施形態による移動端末通信のために実行される動作のフローチャートである。これらの動作は、移動端末コントローラ１１５および／またはコンテンツ提供システムコントローラ１４６によって実行される。コンテンツ提供システムコントローラ１４６が図１および２に示すように独立型コントローラであってよく、あるいは少なくとも部分的に他のネットワーク１４２、１４４、ゲートウェイ１２８、１３８に、および／またはコンテンツ提供システムの、および／または衛星１３０および／または補助地上コンポーネント２３０を備えるシステムの、他の基盤コンポーネントに、統合および／または分散され得ることは、当業者によって理解されるであろう。
【００２６】
図３を参照すると、ブロック３１０で認可／要求信号は、第２のサービスリンク１３４および／または２３４を介して第２の衛星１３０および／または補助地上コンポーネント２３０に送信される。認可信号が加入者を識別するために、および／または加入者プログラミングを修正する要求（単数または複数）、ペイパービュー・プログラミングの要求（単数または複数）、親制御の要求（単数または複数）、通信を開始、変更または維持する要求（単数または複数）などといったサービスに関する要求（単数または複数）を行うために、加入者によって使用され得る如何なるタイプの情報をも含み得ることは理解されるであろう。これらの認可信号はまた、オーディオ、ビデオ、および／またはデータ・ファイルへのユーザのアクセスを認証するための情報も含む。
【００２７】
なお図３を参照するとブロック３２０で、第２／第１のサービスリンク１３４／１２４および／または２３４を介して第２／第１の衛星１３０／１２０および／または補助地上コンポーネント２３０から肯定応答が受信される。この肯定応答は、パスワードおよび／または、移動端末１１０が要求されたオーディオ、ビデオおよび／またはデータ・ファイルを受信することを可能にする認可信号を含む。最後に、ブロック３３０でオーディオ、ビデオ、および／またはデータ・ファイルは、第１のサービスリンク１２４を介して第１の衛星１２０から受信される。
【００２８】
したがって、図１および／または２の移動端末１１０は、第１のサービスリンク１２４上で典型的には比較的高いビット速度で第１の衛星１２０から情報を受信できる。移動端末１１０はまた、第２のサービスリンク１３４および／または２３４上で典型的には比較的低いビット速度で第２の衛星１３０および／または補助地上コンポーネント２３０（および／または補助地上コンポーネントを備える地上ネットワーク以外の地上ネットワーク、図示せず）と双方向通信するように動作可能である。本発明の実施形態は、第１の衛星１２０を介して特定の情報（オーディオ、ビデオおよび／またはデータ・コンテンツ）を移動端末１１０に送信するように構成でき、また移動端末１１０は、第２の衛星１３０および／または補助地上コンポーネント２３０を介して移動端末１１０によって基盤要素に送られる特定の要求に応じて、および／または第２／第１の衛星１３０／１２０および／または補助地上コンポーネント２３０（および／または補助地上コンポーネントを備える地上ネットワーク以外の地上ネットワーク、図示せず）を介してシステムから移動端末に送られる肯定応答に応じて、第１の衛星１２０から特定の情報を受信するように構成され得る。それによって比較的大きなオーディオ、ビデオおよび／またはデータ・ファイルを移動端末１１０に送信するために比較的高いビット速度の１方向サービスリンク１２４が使用できるが、これに対して第２の衛星および／または補助地上コンポーネントによる比較的低いビット速度のサービスリンクは、要求、応答、確認、構成、ハンドシェーク、ハウスキーピング（付帯演算）、肯定応答および／または他の信号を送受信するために使用できる。
【００２９】
したがって、本発明の幾つかの実施形態による移動端末コントローラ１１５は、移動端末トランシーバシステム１１４を介して第２の衛星周波数帯域Ｆ２上でコンテンツプロバイダーコントローラ１４６からオーディオ、ビデオ、および／またはデータ・コンテンツを要求するように、また移動端末トランシーバシステム／受信器１１４／１１２を介して第２／第１の衛星周波数帯域Ｆ２／Ｆ１上でコンテンツプロバイダーコントローラ１４６からオーディオ、ビデオおよび／またはデータ・コンテンツに関する認可を取得するように、また認可を持たない移動端末１１０におけるオーディオ、ビデオおよび／またはデータ・コンテンツの受信および／または利用を限定するように構成される。コンテンツ提供システムコントローラ１４６はまた、第２の衛星１３０および／または補助地上コンポーネント２３０を介して（および／または補助地上コンポーネントを備える地上ネットワーク以外の地上ネットワーク（図示せず）を介して）第２の衛星周波数帯域Ｆ２上で移動端末１１０からオーディオ、ビデオおよび／またはデータ・コンテンツの要求を受信するように、また第２／第１の衛星１３０／１２０および／または補助地上コンポーネント２３０（および／または補助地上コンポーネントを備える地上ネットワーク以外の地上ネットワーク、図示せず）を介して第２／第１の衛星周波数帯域Ｆ２／Ｆ１上で移動端末１１０にオーディオ、ビデオおよび／またはデータ・コンテンツに関する認可を与えるように構成され得る。他の実施形態ではシステムコントローラ１４６は、もし要求が認可されていなければ、第１の衛星１２０を介して第１の衛星周波数帯域Ｆ１上で移動端末１１０にオーディオ／ビデオおよび／またはデータ・コンテンツを提供することを差し控えることができる。
【００３０】
図３の動作が図３に示す順序から外れて実行できることも理解されるであろう。例えば、ブロック３２０の動作は、受信ファイルが少なくとも部分的に格納されるが、肯定応答が受信されるまではアクセスされないブロック３３０の動作の後に実行できる。更に、図１および２の実施形態は、第２の衛星１３０と補助地上ネットワーク２３０の両者および／または補助地上コンポーネント２３０を備える地上ネットワーク以外の地上ネットワーク（図示せず）上で通信を与えるように組み合わされる。
【００３１】
図４および５は、本発明の更に他の実施形態のブロック図である。これらの実施形態は、例えば、家庭または他の構造物においてＤＢＳおよび／またはケーブル放送を受信するために使用されるテレビのセットトップボックスといったセットトップボックス４１０で使用され得る。当業者に周知であるようにセットトップボックスは、例えば電話、ＩＳＤＮ、ケーブルおよび／または衛星チャネル（単数または複数）といった一つ以上の通信チャネル（単数または複数）に接続される電子装置であって、テレビおよび／またはコンピュータ画面上に出力を生成する。セットトップボックスは、独立型システムであってよく、および／またはテレビ、ディジタルビデオレコーダ、コンピュータおよび／または他の装置に一体化されてもよい。図４および５に示すようにセットトップボックス４１０は、衛星リンク１２４から、および／または有線リンク（例えばケーブルテレビ、電話および／または図示しないデータリンク）からオーディオ、ビデオ、および／またはデータ・コンテンツを受信するように構成される受信器４１２を含む。
【００３２】
図４および５の実施形態では、セットトップボックス４１０と第２の衛星１３０（図４）および／または補助地上コンポーネント２３０（図５）との間に中間装置として機能する中継装置４００が設けられる。中継器４００は、無線（地上認可および／または無認可周波数および／または衛星周波数および／または赤外伝送を使用する）および／または有線であり得る双方向リンク４３４上でセットトップボックス４１０と通信できる。
【００３３】
図４および５の幾つかの実施形態は、セットトップボックス４１０が第２の衛星１３０および／または補助地上コンポーネント２３０と直接通信することが困難であるという認識から生じる。したがってセットトップボックス４１０から第２の衛星１３０および／または補助地上コンポーネント２３０への戻りリンク通信を中継するための、および第２の衛星１３０および／または補助地上コンポーネント２３０からセットトップボックス４１０への順方向リンク通信も中継するための中間装置として機能できる中継器４００が設けられる。中継器４００は、窓際または屋上に置くことができ、また幾つかの実施形態ではセットトップボックス４１０が使用する戸外ユニット構造物に少なくとも部分的に一体化でき、また第２の衛星１３０および／または補助地上コンポーネント２３０と通信する中継器４００の能力を増加または最大化するように配置される。
【００３４】
幾つかの実施形態では、中継器４００は、非再生リピータとして、または再生リピータとして機能できる。当業者に周知であるように非再生リピータは、復調および／または再生なしに信号を受信して再送信する。これに対して再生リピータは、受信信号を復調して復号し、それからこの復調されて復号された信号を再送信のために再符号化して再変調する。
【００３５】
本発明の幾つかの実施形態では中継器４００は、送信と受信が同時に起こる全二重モードで動作できる。しかしながら、本発明の他の実施形態は、セットトップボックス４１０と第２の衛星１３０および／または補助地上コンポーネント２３０との間の通信が認可信号と肯定応答信号の短いバーストの形態になるという認識に基づいて半二重モードで中継器４００を動作させる。したがって、電位干渉および／またはアンテナ分離の懸念は、中継器４００の幾つかの実施形態を半二重モードで動作させることによって減らすことができる。したがって、例えば、中継器４００は、リンク４３４上でセットトップボックス４１０からの要求といった認可信号を受信するように動作できる。それからこの信号は格納され、リンク４３４に関連する中継受信器は、所定の時間間隔の間、シャットダウンされる。それからリンク１３４／２３４に関連する中継器４００内の送信器は、受信されて格納された信号を前記所定の時間間隔中に第２のサービスリンク１３４／２３４の戻りリンク部分上で第２の衛星１３０および／または補助地上コンポーネント２３０に送信するように構成される。同様に中継器４００は、第２のサービスリンク１３４／２３４を介して第２の衛星１３０および／または補助地上コンポーネント２３０から肯定応答を受信するように受信モードで構成される。それからサービスリンク１３４／２３４に関連する中継器４００の受信器は、所定の時間間隔の間、シャットダウンされ、リンク４３４に関連する中継器４００の送信器は、前記所定の時間間隔に渡ってリンク４３４上で中継器４００からセットトップボックス４１０に肯定応答を送信するように駆動される。中継器４００による同時的な送信と受信を削減または防止することによって幾つかの実施形態における中継器４００での電位干渉および／またはアンテナ分離の懸念は、軽減または除去される。
【００３６】
図４および５の中継器４００は、単一機能の再生および／または非再生リピータとして上記に説明された。しかしながら、本発明の他の実施形態では中継器４００は、他の機能を含むこともできる。例えば、中継器４００は、例えば、テレビ遠隔制御ユニットといったセットトップボックス遠隔制御ユニットに一体化でき、またユーザ遠隔制御コマンドを第２の衛星１３０に、補助地上コンポーネント２３０に、地上ネットワーク（図示せず）および／またはセットトップボックス４１０に中継するために使用できる。更に他の実施形態では中継器４００は、例えば赤外リンク４４２（および／または他の無線および／または有線リンク）を介して別のテレビまたはセットトップボックス遠隔制御（ＲＣ）ユニット４４０から遠隔制御コマンドを受け入れるように、またこれらのコマンドをセットトップボックス４１０、第２の衛星１３０、地上ネットワーク（コンテンツ提供システムコントローラ４４６に接続され得る、図示せず）および／または補助地上コンポーネント２３０に中継するように構成される。
【００３７】
図４および５の実施形態の動作は、ブロック３１０の送信とブロック３２０の受信が、直接第２の衛星１３０および／または補助地上コンポーネント２３０に、またはそれらからの代わりに中継器４００を介して起こり得ることを除いて、図３に関連して上記に説明されたように進行し得る。遠隔制御ユニット４４０はまた、有線および／または無線リンク４４８を通常使用すると同様にセットトップボックス４１０と直接通信できる。
【００３８】
図６〜９は、本発明の他の実施形態を示す。図６〜９の実施形態は、移動端末１１０がセットトップボックス４１０から離れているときに図１および２の実施形態と同様に動作する。しかしながら図６および７に示すように移動端末１１０がセットトップボックス４１０に近いときに移動端末１１０は、第１および／または第２の衛星１２０、１３０または第１の衛星１２０および補助地上コンポーネント２３０と直接通信するより、移動端末１１０とセットトップボックス４１０との間に確立された無線リンク６３４といった一つ以上の無線リンクを介して、第１および／または第２の衛星１２０および／または１３０と選択的に通信する。幾つかの実施形態では移動端末１１０は、移動端末１１０がセットトップボックス４１０に近くても、補助地上コンポーネント２３０および／または地上ネットワーク（補助地上コンポーネント２３０を含む地上ネットワーク以外の、図示せず）と直接通信し続ける。幾つかの実施形態ではリンク６３４は、オーディオ、ビデオ、および／またはデータ・コンテンツの伝送に対応でき、また上述した認可信号および／または肯定応答に対応できる。他の実施形態ではリンク６３４は、別の狭帯域および／または広帯域リンクを含む。リンク（単数または複数）６３４は、地上および／または衛星（直接放送および／または移動体）周波数を使用でき、および／または短距離および／または特別の無線ネットワークプロトコルおよび／または周波数、例えばＷｉＦｉ、ＷｉＭＡＸ、Ｂｌｕｅｔｏｏｔｈ、または超広帯域プロトコルおよび／または周波数を使用できる。
【００３９】
図８および９は、本発明の他の実施形態を示しており、移動端末１１０は、セットトップボックス４１０および／または一つ以上の無線リンク８３４を使用する中継器４００に近いときに中継器４００を介してセットトップボックス４１０と通信する。リンク（単数または複数）８３４は、リンク（単数または複数）６３４に関して上記に説明されたように構成され得る。幾つかの実施形態では、リンク（単数または複数）６３４および８３４を含む組合せも用意できる。
【００４０】
図６〜９で説明される本発明の実施形態は、移動端末１１０が家庭または他の構造物に入ったときに衛星信号（単数または複数）の信号遮断および／または減衰のために衛星周波数通信が劣化し得るという認識から生じる。しかしながら、家庭または他の構造物内にあるとき移動端末１１０は、直接および／または中継装置４００を介してセットトップボックス４１０と無線通信できる。したがって、本発明の幾つかの実施形態では、第１および／または第２の衛星（図１〜２）との直接通信と、セットトップボックス４１０および／または中継器４００（図６〜９）を介しての第１、第２の衛星との通信との間でコンテンツ配信のためのシームレスハンドオフが提供できる。したがって本発明の幾つかの実施形態によれば、移動端末１１０がセットトップボックスおよび／または中継器に近いときセットトップボックス４１０および／または中継器４００との接続は、選択的に確立される。
【００４１】
幾つかの実施形態では、移動端末１１０、セットトップボックス４１０および／または中継器４００は各々、移動端末１１０、セットトップボックス４１０および／または中継器４００の識別性、加入、ファミリーおよび／またはグループを確立する識別子を含む。この識別子は、移動端末がセットトップボックスおよび／または中継器に近いときにセットトップボックス、中継器および／または移動端末の間で伝達され得る。伝達された識別子情報（またはその少なくともある量）は更に、システム要素、例えばコンテンツ提供システムコントローラ４４６および／または他のシステム要素に、受信装置（セットトップボックス、中継器または移動端末）によって伝達される。これら３台（以上）の装置（セットトップボックス、中継器および／または一つ以上の移動端末）の間のリンケージ、ハンドシェーク、構成および／または存在はこうして確立できる。このような実施形態では移動端末１１０は、移動端末１１０がセットトップボックスおよび／または中継器に近いときに所定の仕方で移動端末の識別子と一致する、および／または相関する識別子を含むセットトップボックス４１０および／または中継器４００だけからサービスを受信するように構成できる。セットトップボックスおよび／または中継器はまた、移動端末（単数または複数）がセットトップボックスおよび／または中継器に近くて、セットトップボックスおよび／または中継器からサービスを要求するときに、所定の仕方でセットトップボックスおよび／または中継器の識別子と一致する、および／または相関する識別子を含む移動端末だけにサービスを提供するように構成できる。
【００４２】
幾つかの実施形態では、移動端末１１０、セットトップボックス４１０、および／または中継器４００は各々、移動端末１１０、セットトップボックス４１０および／または中継器４００の識別性、加入、ファミリーおよび／またはグループを確立する識別子を含む。この識別子は、移動端末がセットトップボックスおよび／または中継器に近いときにセットトップボックス、中継器および／または移動端末の間で伝達されることができ、また移動端末、セットトップボックスおよび／または中継器は、受信された識別子情報の少なくとも一部分（および／またはある量）をシステム要素、例えば、コンテンツ提供システムコントローラ４４６および／または他のシステム要素に伝達する。これら３台（以上）の装置（セットトップボックス、中継器および／または一つ以上の移動端末）の間のリンケージ、ハンドシェーク、構成および／または存在はこうして確立できる。このような実施形態では移動端末１１０は、移動端末１１０がセットトップボックスおよび／または中継器に近いときに移動端末の有効な識別子を受信した任意のセットトップボックス４１０および／または中継器４００からサービスを受信するように構成され得る。セットトップボックスおよび／または中継器はまた、移動端末（単数または複数）がセットトップボックスおよび／または中継器に近くて、セットトップボックスおよび／または中継器からサービスを要求するときに、所定の仕方で例えばシステム識別子のデータベースと一致する、および／または相関する有効な識別子をセットトップボックスおよび／または中継器に送信する任意の移動端末（単数または複数）にサービスを提供するように構成できる。
【００４３】
したがって、図６〜９に示すように、移動端末トランシーバシステム４１４は、移動端末１１０がセットトップボックス４１０に近いときに直接または中継装置４４０を介してセットトップボックス４１０と通信するように構成できる。セットトップボックス４１０はまた、これに近い移動端末１１０と無線通信するようにも構成できる。セットトップボックス中継装置４００はまた、これに近い移動端末１１０と無線通信するようにも構成できる。コンテンツ提供システム４４６は更に、移動端末１１０に近いセットトップボックス４１０を介して移動端末１１０と通信するように構成できる。
【００４４】
本発明の幾つかの実施形態（図６および７）では移動端末コントローラ１１５は更に、移動端末１１０がセットトップボックス４１０に近いときにセットトップボックス４１０を介してコンテンツプロバイダー４４６からオーディオ、ビデオおよび／またはデータ・コンテンツを選択的に要求するように、また移動端末１１０がセットトップボックス４１０に近いときにセットトップボックス４１０を介してコンテンツプロバイダー４４６からのオーディオ、ビデオおよび／またはデータ・コンテンツに関する認可を選択的に取得するように構成される。移動端末コントローラ１１５はまた、移動端末１１０がセットトップボックス４１０に近いときにセットトップボックス４１０を介してコンテンツプロバイダー４４６からオーディオ、ビデオ、および／またはデータ・コンテンツを選択的に受信するように構成できる。更に他の実施形態（図８および９）ではこれらの選択された要求と受信は、移動端末１１０が中継装置４００に近いときにセットトップボックス４１０と通信する中継装置４００を介して実行される。更なる実施形態では移動端末コントローラ１１５は更に、移動端末１１０がセットトップボックス４１０および／または中継器４００に近いときに衛星１３０、地上ネットワークおよび／または補助地上コンポーネント２３０を介してコンテンツプロバイダー４４６からオーディオ、ビデオおよび／またはデータ・コンテンツを選択的に要求するように、また移動端末１１０がセットトップボックス４１０および／または中継器４００に近いときに衛星１３０、地上ネットワークおよび／または補助地上コンポーネント２３０を介してコンテンツプロバイダー４４６からのオーディオ、ビデオおよび／またはデータ・コンテンツに関する認可を選択的に取得するように構成される。移動端末コントローラ１１５はまた、移動端末１１０がセットトップボックス４１０に近いときにセットトップボックス４１０を介してコンテンツプロバイダー４４６からオーディオ、ビデオ、および／またはデータ・コンテンツを選択的に受信するようにも構成できる。更に他の実施形態では、コンテンツプロバイダー４４６からのオーディオ、ビデオ、および／またはデータ・コンテンツの選択された受信は、移動端末１１０が中継装置４００に近いときにセットトップボックス４１０と通信する中継装置４００を介して実行できる。
【００４５】
図面および明細書において本発明の実施形態が開示されており、また特定の用語が使用されているが、これらは単に一般的および説明的意味で使用されており、前記の請求項に述べられている本発明の範囲の限定の目的で使用されているものではない。
【図面の簡単な説明】
【００４６】
【図１】本発明の種々の実施形態によるシステム、方法、および装置のブロック図である。
【図２】本発明の種々の実施形態によるシステム、方法、および装置のブロック図である。
【図３】本発明の種々の実施形態にしたがって実行され得る動作のフローチャートである。
【図４】本発明の他の実施形態によるシステム、方法、および装置のブロック図である。
【図５】本発明の他の実施形態によるシステム、方法、および装置のブロック図である。
【図６】本発明の他の実施形態によるシステム、方法、および装置のブロック図である。
【図７】本発明の他の実施形態によるシステム、方法、および装置のブロック図である。
【図８】本発明の他の実施形態によるシステム、方法、および装置のブロック図である。
【図９】本発明の他の実施形態によるシステム、方法、および装置のブロック図である。
【図１】
2007534273.tif 000003
【図２】
2007534273.tif 000004
【図３】
2007534273.tif 000005
【図４】
2007534273.tif 000006
【図５】
2007534273.tif 000007
【図６】
2007534273.tif 000008
【図７】
2007534273.tif 000009
【図８】
2007534273.tif 000010
【図９】
2007534273.tif 000011
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
第１の衛星周波数帯域上で第１の衛星からオーディオ、ビデオ、および／またはデータ・コンテンツを受信するように、また前記第１の衛星周波数帯域上で前記第１の衛星からオーディオ、ビデオ、および／またはデータ・コンテンツの受信を制御するために第２の衛星周波数帯域上で第２の衛星およびその補助地上ネットワークと通信するように構成される移動端末トランシーバシステムを備える、移動端末。
【請求項２】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の周波数帯域はＭＳＳ周波数帯域である請求項１に記載の移動端末。
【請求項３】
前記移動端末トランシーバシステムは、
前記第１の衛星周波数帯域上で前記第１の衛星からオーディオ、ビデオ、および／またはデータ・コンテンツを受信するように構成される移動端末受信器と、
前記第１の衛星周波数帯域上で前記第１の衛星からオーディオ、ビデオ、および／またはデータ・コンテンツの受信を制御するために前記第２の衛星周波数帯域上で前記第２の衛星およびその前記補助地上ネットワークと双方向通信するように構成される移動端末双方向トランシーバと
を備える請求項１に記載の移動端末。
【請求項４】
前記移動端末受信器と前記移動端末双方向トランシーバは少なくとも部分的に前記移動端末に一体化される請求項３に記載の移動端末。
【請求項５】
前記第２の衛星周波数帯域上で前記移動端末トランシーバシステムを介してコンテンツプロバイダーからオーディオ、ビデオ、および／またはデータ・コンテンツを要求するように、また前記第２の衛星周波数帯域上で前記移動端末トランシーバシステムを介してコンテンツプロバイダーからオーディオ、ビデオ、および／またはデータ・コンテンツに関する認可を取得するように、また認可を持たない移動端末でのオーディオ、ビデオ、および／またはデータ・コンテンツの受信および／または利用を限定するように構成される移動端末コントローラを更に備える請求項１に記載の移動端末。
【請求項６】
前記移動端末コントローラは更に、移動端末がセットトップボックスに近いときに前記セットトップボックスを介してコンテンツプロバイダーからオーディオ、ビデオ、および／またはデータ・コンテンツを選択的に要求するように、また前記移動端末がセットトップボックスに近いときに前記セットトップボックスを介して前記コンテンツプロバイダーからオーディオ、ビデオ、および／またはデータ・コンテンツに関する認可を選択的に取得するように構成される請求項５に記載の移動端末。
【請求項７】
前記移動端末コントローラは更に、移動端末がセットトップボックスに近いときに前記セットトップボックスを介してコンテンツプロバイダーからオーディオ、ビデオ、および／またはデータ・コンテンツを選択的に受信するように構成される請求項６に記載の移動端末。
【請求項８】
前記移動端末コントローラは更に、移動端末が中継装置に近いとき、セットトップボックスと通信する前記中継装置を介してコンテンツプロバイダーからオーディオ、ビデオ、および／またはデータ・コンテンツを選択的に要求するように、また前記移動端末が中継装置に近いときに前記中継装置を介してコンテンツプロバイダーからのオーディオ、ビデオ、および／またはデータ・コンテンツに関する認可を取得するように構成される請求項５に記載の移動端末。
【請求項９】
前記移動端末コントローラは更に、移動端末が中継装置に近いときに前記セットトップボックスと通信する前記中継装置を介してコンテンツプロバイダーからオーディオ、ビデオ、および／またはデータ・コンテンツを選択的に受信するように構成される請求項８に記載の移動端末。
【請求項１０】
前記移動端末コントローラは更に、移動端末がセットトップボックスに近いときに前記セットトップボックスに遠隔制御コマンドを送信するように構成される請求項６に記載の移動端末。
【請求項１１】
前記移動端末コントローラは更に、移動端末が中継装置に近いときに前記中継装置を介して前記セットトップボックスに遠隔制御コマンドを送信するように構成される請求項８に記載の移動端末。
【請求項１２】
第１の衛星周波数帯域上で第１の衛星と通信するように、また第２の衛星周波数帯域上で第２の衛星およびその補助地上ネットワークと通信するように構成される移動端末トランシーバシステムを備える移動端末。
【請求項１３】
前記第１の衛星は直接放送衛星（ＤＢＳ）および／または衛星無線衛星であって、前記第１の衛星周波数帯域はＤＢＳおよび／または衛星無線周波数帯域であり、また第２の衛星は移動体衛星システム（ＭＳＳ）衛星であって、前記第２の周波数帯域はＭＳＳ周波数帯域である請求項１２に記載の移動端末。
【請求項１４】
前記移動端末トランシーバシステムは更に、移動端末がセットトップボックスに近いときに前記セットトップボックスと通信するように構成される請求項１２に記載の移動端末。
【請求項１５】
前記移動端末トランシーバシステムは更に、移動端末が中継装置に近いときにセットトップボックスと通信する前記中継装置と通信するように構成される請求項１２に記載の移動端末。
【請求項１６】
地上および／または衛星周波数帯域を使用してオーディオ、ビデオ、および／またはデータ・コンテンツを無線を使って受信するように、また移動端末がセットトップボックスに近いときに前記セットトップボックスからオーディオ、ビデオ、および／またはデータ・コンテンツを無線を使って受信するように構成される移動端末トランシーバシステムを備える移動端末。
【請求項１７】
前記移動端末トランシーバシステムは更に、移動端末が中継装置に近いときにセットトップボックスと通信する前記中継装置からオーディオ、ビデオ、および／またはデータ・コンテンツを無線を使って受信するように構成される請求項１６に記載の移動端末。
【請求項１８】
第１の衛星周波数帯域上でおよび／または有線接続を介して第１の衛星からオーディオ、ビデオ、および／またはデータ・コンテンツを受信するように、またオーディオ、ビデオ、および／またはデータ・コンテンツの受信を制御するために第２の衛星周波数帯域上で第２の衛星および／または補助地上ネットワークとそれ自身が通信するセットトップボックスの外部に在る中継装置と通信するように構成されるセットトップボックス・トランシーバシステムを備えるセットトップボックス。
【請求項１９】
前記第１の衛星は直接放送衛星（ＤＢＳ）および／または衛星無線衛星であって、前記第１の衛星周波数帯域はＤＢＳおよび／または衛星無線周波数帯域であり、また第２の衛星は移動体衛星システム（ＭＳＳ）衛星であって、前記第２の衛星周波数帯域はＭＳＳ周波数帯域である請求項１８に記載のセットトップボックス。
【請求項２０】
前記セットトップボックス・トランシーバシステムは、
前記第１の衛星周波数帯域上でおよび／または有線接続を介して前記第１の衛星からオーディオ、ビデオ、および／またはデータ・コンテンツを受信するように構成されるセットトップボックス受信器と、
前記第１の衛星周波数帯域上でのおよび／または有線接続を介しての前記第１の衛星からのオーディオ、ビデオ、および／またはデータ・コンテンツの受信を制御するために第２の衛星周波数帯域上で前記中継装置を介して第２の衛星および／または補助地上ネットワークと双方向通信するように構成されるセットトップボックス双方向トランシーバとを備える請求項１８に記載のセットトップボックス。
【請求項２１】
前記セットトップボックス受信器と前記セットトップボックス双方向トランシーバは少なくとも部分的に一体化される請求項２０に記載のセットトップボックス。
【請求項２２】
前記セットトップボックス・トランシーバシステムと前記中継装置とを介して第２の衛星周波数帯域上でコンテンツプロバイダーからオーディオ、ビデオ、および／またはデータ・コンテンツを要求するように、また第１および／または第２の衛星周波数帯域上で前記セットトップボックス・トランシーバシステムおよび前記中継装置を介してコンテンツプロバイダーからのオーディオ、ビデオ、および／またはデータ・コンテンツに関する認可を取得するように、また認可を持たないセットトップボックスでのオーディオ、ビデオ、および／またはデータ・コンテンツの受信および／または利用を限定するように構成されるセットトップボックス・コントローラを更に備える請求項１８に記載のセットトップボックス。
【請求項２３】
前記セットトップボックス・コントローラは更に、中継装置および／またはセットトップボックスに近い移動端末からの要求に応じてコンテンツプロバイダーからオーディオ、ビデオ、および／またはデータ・コンテンツを要求するように、また前記中継装置および／またはセットトップボックスを介して前記移動端末にオーディオ、ビデオ、および／またはデータ・コンテンツを提供するように構成される請求項２２に記載のセットトップボックス。
【請求項２４】
前記セットトップボックス・コントローラは更に、前記中継装置を介してセットトップボックスのための遠隔制御コマンドを受信するように構成される請求項２２に記載のセットトップボックス。
【請求項２５】
セットトップボックスの外部に在って無線および／または有線接続上で前記セットトップボックスと通信するように、また移動体衛星システム（ＭＳＳ）周波数帯域上で移動体衛星システム（ＭＳＳ）衛星および補助地上ネットワークと通信するように構成されるセットトップボックス中継装置トランシーバシステムを備えるセットトップボックス中継装置。
【請求項２６】
前記セットトップボックス中継装置トランシーバシステムは更に、自分に近い移動端末と無線通信するように構成される請求項２５に記載のセットトップボックス中継装置。
【請求項２７】
前記セットトップボックス中継装置トランシーバシステムは更に、自分に近い遠隔制御ユニットと無線通信するように構成される請求項２５に記載のセットトップボックス中継装置。
【請求項２８】
移動端末にオーディオ、ビデオ、および／またはデータ・コンテンツを提供するコンテンツ提供システムであって、
第１の衛星周波数帯域上で移動端末にオーディオ、ビデオ、および／またはデータ・コンテンツを送信するように構成される第１の衛星と、
前記第１の衛星周波数帯域上での第１の衛星からのオーディオ、ビデオ、および／またはデータ・コンテンツの受信を制御するために第２の衛星周波数帯域上で移動端末と通信するように構成される第２の衛星およびその補助地上ネットワークとを備える、コンテンツ提供システム。
【請求項２９】
前記第１の衛星は直接放送衛星（ＤＢＳ）および／または衛星無線衛星であって、前記第１の衛星周波数帯域はＤＢＳおよび／または衛星無線周波数帯域であり、前記第２の衛星は移動体衛星システム（ＭＳＳ）衛星であって、前記第２の周波数帯域はＭＳＳ周波数帯域である請求項２８に記載のコンテンツ提供システム。
【請求項３０】
前記第２の衛星周波数帯域上で前記第２の衛星およびその補助地上ネットワークを介して移動端末からオーディオ、ビデオ、および／またはデータ・コンテンツの要求を受信するように、また前記第２の衛星周波数帯域上で前記第２の衛星およびその補助地上ネットワークを介して移動端末にオーディオ、ビデオおよび／またはデータ・コンテンツに関する認可を与えるように構成されるコンテンツ提供システムコントローラを更に備える請求項２８に記載のコンテンツ提供システム。
【請求項３１】
前記第２の衛星周波数帯域上で前記第２の衛星およびその補助地上ネットワークを介して移動端末からオーディオ、ビデオ、および／またはデータ・コンテンツの要求を受信するように、またもし要求が認可されていなければ前記第１の衛星周波数帯域上で前記第１の衛星を介して移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３２】
移動端末に近いセットトップボックスと第２の衛星およびその補助地上ネットワークとを介して移動端末からオーディオ、ビデオ、および／またはデータ・コンテンツの要求を受信するように、また前記セットトップボックスと前記第２の衛星および／または補助地上ネットワークとを介して移動端末にオーディオ、ビデオ、および／またはデータ・コンテンツに関する認可を与えるように構成されるコンテンツ提供システムコントローラを更に備える請求項２８に記載のコンテンツ提供システム。
【請求項３３】
移動端末に近いセットトップボックスと第２の衛星およびその補助地上ネットワークとを介して移動端末からオーディオ、ビデオ、および／またはデータ・コンテンツの要求を受信するように、またもし要求が認可されていなければ前記セットトップボックスと前記第２の衛星および／または補助地上ネットワークとを介して移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３４】
移動端末に近いセットトップボックスおよび中継装置と第２の衛星およびその補助地上ネットワークとを介して移動端末からオーディオ、ビデオ、および／またはデータ・コンテンツの要求を受信するように、また前記セットトップボックスおよび前記中継装置と前記第２の衛星および／または補助地上ネットワークとを介して前記移動端末にオーディオ、ビデオ、および／またはデータ・コンテンツに関する認可を提供するように構成されるコンテンツ提供システムコントローラを更に備える請求項２８に記載のコンテンツ提供システム。
【請求項３５】
移動端末に近いセットトップボックスおよび中継装置と第２の衛星およびその補助地上ネットワークとを介して移動端末からオーディオ、ビデオ、および／またはデータ・コンテンツの要求を受信するように、またもし要求が認可されていなければ前記セットトップボックスおよび前記中継装置と前記第２の衛星および／または補助地上ネットワークとを介して前記移動端末にオーディオ、ビデオ、および／またはデータ・コンテンツを提供することを差し控えるように構成されるコンテンツ提供システムコントローラを更に備える請求項２８に記載のコンテンツ提供システム。
【請求項３６】
第１の衛星周波数帯域上で移動端末と通信するように構成される第１の衛星と、
第２の衛星周波数帯域上で前記移動端末と通信するように構成される第２の衛星およびその補助地上ネットワークと
を備える移動端末通信システム。
【請求項３７】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項３６に記載の移動端末通信システム。
【請求項３８】
前記第２の衛星およびその補助地上ネットワークは、移動端末がセットトップボックスに近いときに前記セットトップボックスを介して前記移動端末と通信するように構成される請求項３６に記載の移動端末通信システム。
【請求項３９】
前記第２の衛星およびその補助地上ネットワークは、移動端末が中継装置に近いときに前記セットトップボックスと通信する前記中継装置を介して前記移動端末と通信するように構成される請求項３６に記載の移動端末通信システム。
【請求項４０】
セットトップボックスにオーディオ、ビデオ、および／またはデータ・コンテンツを提供するコンテンツ提供システムであって、
第１の衛星周波数帯域上でおよび／または有線接続を介して第１の衛星からセットトップボックスにオーディオ、ビデオ、および／またはデータ・コンテンツを送信するように構成されるコンテンツ送信システムと、
前記セットトップボックスにおいてオーディオ、ビデオ、および／またはデータ・コンテンツを制御するために第２の衛星周波数帯域上で第２の衛星および／または補助地上ネットワークを介して、前記セットトップボックスの外部にある中継装置と通信するように構成されるコンテンツ制御システムと
を備える、コンテンツ提供システム。
【請求項４１】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項４０に記載のコンテンツ提供システム。
【請求項４２】
前記コンテンツ制御システムは、前記中継装置を介して前記セットトップボックスからオーディオ、ビデオ、および／またはデータ・コンテンツの要求に応答し、また前記中継装置を介して前記セットトップボックスにオーディオ、ビデオ、および／またはデータ・コンテンツに関する認可を送信するように構成される請求項４０に記載のコンテンツ提供システム。
【請求項４３】
前記コンテンツ制御システムは、前記中継装置を介して前記セットトップボックスからオーディオ、ビデオ、および／またはデータ・コンテンツの要求に応答し、また認可を持たないセットトップボックスにおけるオーディオ、ビデオ、および／またはデータ・コンテンツの送信および／または使用を限定するように応答する請求項４０に記載のコンテンツ提供システム。
【請求項４４】
第１の衛星周波数帯域上で第１の衛星から移動端末においてオーディオ、ビデオ、およびデータ・コンテンツを受信するステップと、
前記第１の衛星周波数帯域上での前記第１の衛星からの前記移動端末におけるオーディオ、ビデオ、および／またはデータ・コンテンツの受信を制御するために第２の衛星周波数帯域上で前記移動端末と第２の衛星およびその補助地上ネットワークとの間で通信するステップと
を備える、移動端末通信方法。
【請求項４５】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項４４に記載の方法。
【請求項４６】
前記移動端末がセットトップボックスに近いときに前記セットトップボックスを介して前記移動端末において前記第１の衛星からオーディオ、ビデオ、および／またはデータ・コンテンツを選択的に受信するステップと、
前記移動端末がセットトップボックスに近いときに前記セットトップボックスを介して前記移動端末と前記第２の衛星および／または補助地上ネットワークとの間で選択的に通信するステップと
を更に備える請求項４４に記載の方法。
【請求項４７】
前記移動端末が中継装置に近いときに前記セットトップボックスと通信する前記中継装置を介して前記移動端末において前記第１の衛星からオーディオ、ビデオ、および／またはデータ・コンテンツを選択的に受信するステップと、
前記移動端末が中継装置に近いときに前記中継装置を介して前記移動端末と前記第２の衛星および／または補助地上ネットワークとの間で選択的に通信するステップと
を更に備える請求項４４に記載の方法。
【請求項４８】
前記移動端末がセットトップボックスに近いときに前記移動端末から前記セットトップボックスに遠隔制御コマンドを送信するステップを更に備える請求項４６に記載の方法。
【請求項４９】
前記移動端末が中継装置に近いときに前記中継装置を介して前記移動端末から前記セットトップボックスに遠隔制御コマンドを送信するステップを更に備える請求項４７に記載の方法。
【請求項５０】
第１の衛星周波数帯域上で移動端末と第１の衛星との間で通信するステップと、
第２の衛星周波数帯域上で前記移動端末と第２の衛星および／またはその補助地上ネットワークとの間で通信するステップと
を備える移動端末通信方法。
【請求項５１】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項５０に記載の方法。
【請求項５２】
前記移動端末がセットトップボックスに近いときに前記移動端末と前記セットトップボックスとの間で通信するステップを更に備える請求項５０に記載の方法。
【請求項５３】
前記移動端末が中継装置に近いときに、前記移動端末とセットトップボックスと通信する前記中継装置との間で通信するステップを更に備える請求項５０に記載の方法。
【請求項５４】
地上および／または衛星周波数帯域を使用して移動端末によってオーディオ、ビデオ、および／またはデータ・コンテンツを無線を使って受信するステップと、
前記移動端末がセットトップボックスに近いときに当該セットトップボックスから前記移動端末によってオーディオ、ビデオ、および／またはデータ・コンテンツを受信するステップと
を備える移動端末通信方法。
【請求項５５】
前記移動端末が中継装置に近いときに、前記セットトップボックスと通信する前記中継装置から移動端末によってオーディオ、ビデオ、および／またはデータ・コンテンツを無線を使用して受信するステップを更に備える請求項５４に記載の方法。
【請求項５６】
第１の衛星周波数帯域上でおよび／または有線接続を介して第１の衛星からセットトップボックスにおいてオーディオ、ビデオ、および／またはデータ・コンテンツを受信するステップと、
オーディオ、ビデオ、および／またはデータ・コンテンツの受信を制御するために前記セットトップボックスと、第２の衛星周波数帯域上で第２の衛星および／または補助地上ネットワークとそれ自身が通信するセットトップボックスの外部にある中継装置との間で通信するステップと
を備えるセットトップボックス通信方法。
【請求項５７】
前記第１の衛星は直接放送衛星（ＤＢＳ）および／または衛星無線衛星であって、前記第１の衛星周波数帯域はＤＢＳおよび／または衛星無線周波数帯域であり、また前記第２の衛星は移動体衛星システム（ＭＳＳ）衛星であって、前記第２の衛星周波数帯域はＭＳＳ周波数帯域である請求項５６に記載の方法。
【請求項５８】
前記中継装置を介して前記セットトップボックスにおいて遠隔制御コマンドを受信するステップを更に備える請求項５６に記載の方法。
【請求項５９】
無線および／または有線接続上で前記中継装置とセットトップボックスとの間で通信するステップと、
移動体衛星システム（ＭＳＳ）周波数帯域上で中継装置と移動体衛星システム（ＭＳＳ）衛星および／または補助地上ネットワークとの間で通信するステップと
を備えるセットトップボックス中継装置通信方法。
【請求項６０】
前記中継装置と前記中継装置に近い移動端末との間で無線通信するステップを更に備える請求項５９に記載の方法。
【請求項６１】
前記中継装置と前記中継装置に近い遠隔制御ユニットとの間で無線通信するステップを更に備える請求項５９に記載の方法。
【国際調査報告】
2007534273.tif 000012
2007534273.tif 000013
2007534273.tif 000014
2007534273.tif 000015
2007534273.tif 000016